(57)【要約】      （修正有）【課題】傘の着脱操作が容易であり、身体の胴部前面における傘保持具取り付け位置が比較的自由に選べる傘装着具を提供する。【解決手段】傘装着具は、傘の柄を挟持する柄保持具２と、柄保持具２を表面に備えた面ファスナー３とを有する。柄保持具２は傘の柄受け部６と、面ファスナー３に裏面が固着された基板５と、傘の柄押圧部材７と、傘の柄押圧部材７の操作レバー９と、傘の柄押圧部材７を閉じる向きの操作レバー９の操作により傘の柄押圧部材７を押圧するコイルばね１０と、傘の柄押圧部材７を閉じた状態で操作レバー９を基板５に係止する係止手段とを有する。面ファスナー３を着衣の面ファスナー４ａに貼着した状態において、操作レバー９は、傘の柄押圧部材７が開いた状態になるように自重で垂れ下がる。【選択図】図２
2014064766.tif 000002
【特許請求の範囲】
【請求項１】
傘を身体の胴部に着衣を介して装着する傘装着具であって、
傘の柄の下端部分を挟持固定する柄保持具と、
前記柄保持具を表面に備えたマジックシートと、を有し、
前記マジックシートは、前記着衣に設けられた着衣側マジックシートに貼着することにより傘を略垂直に位置決めするシートであり、
一方、前記柄保持具は、装着される傘の柄に沿う傘の柄受け部を有し、裏面が前記マジックシートに固着された基板と、
前記基板に支持され、前記傘の柄受け部に対し開閉自在の傘の柄押圧部材と、
前記傘の柄押圧部材の操作レバーであって、傘の柄受け部に対し直交する方向の基軸により前記基板に基端部が枢着された操作レバーと、
前記傘の柄押圧部材と前記操作レバーとの間に設けられ、一端が前記傘の柄押圧部材に、他端が前記操作レバーにそれぞれ係合したコイルばねであって、前記傘の柄押圧部材を閉じる向きに前記操作レバーを揺動させることにより、該傘の柄押圧部材を弾性的に押圧するコイルばねと、
前記傘の柄押圧部材を閉じた状態の前記操作レバーを前記基板に係止固定する係止手段と、を有し、
傘を略垂直に位置決めする向きに前記マジックシートを前記着衣側マジックシートに貼着した状態において、前記柄保持具は、前記係止手段が前記基軸の上方に位置する向きに前記マジックシートに固着され、前記押圧部材操作レバーの前記基板に対する前記係止固定が解除されている状態では、前記操作レバーは前記傘の柄押圧部材が開いた状態になるように前記基軸を中心にその自重で垂れ下がることを特徴とする傘装着具。
【請求項２】
請求項１に記載の傘装着具において、
傘を略垂直に位置決めする向きに前記マジックシートを前記着衣側マジックシートに貼着した状態で、該マジックシートは、その下端部に傘の柄の手元（グリップ）を挟持固定する第一の柄保持具を、その上端部に前記手元の上部を挟持固定する第二の柄保持具とを備えていることを特徴とする傘装着具。
【請求項３】
請求項１または２に記載の傘装着具において、
前記柄保持具を表面に備えた前記マジックシートはフック状を、前記着衣側マジックシートはパイル状をそれぞれ有することを特徴とする傘装着具。
【請求項４】
請求項２に記載の傘装着具において、
第一及び第二の柄保持具を表面両端部に備えたマジックシートは、第一の柄保持具と第二の柄保持具との間で折り畳み自在であることを特徴とする傘装着具。
【請求項５】
請求項１乃至４の何れか一つに記載の傘装着具において、
前記着衣はチョッキであって、その胴部の寸法が調整自在であることを特徴とする傘装着具。
【発明の詳細な説明】
【技術分野】
【０００１】
本発明は、身体の胴部に傘を装着する傘装着具に関する。
【背景技術】
【０００２】
降雨時や日照時などに傘を身体に装着することにより両手を使用できるようにした傘装着具は、傘の柄を取り付ける手段としてベルトやマジックテープ（登録商標）を利用したものが知られている。また、傘装着具を身体に装着する手段としては、傘装着具を取り付けた、身体に巻き付けるベルト等が用いられている。
【先行技術文献】
【特許文献】
【０００３】
【特許文献１】特開２００４−２２９７８５号公報
【特許文献２】特開２００４−１６７９３号公報
【特許文献３】特開２００２−１４２８２３号公報
【発明の概要】
【発明が解決しようとする課題】
【０００４】
ベルト又はマジックテープ（登録商標）を利用した傘の取り付け固定手段を用いた傘装着具では、傘装着具に傘を安定的に強固に装着することの困難性を伴う。さらに、傘保持具を身体に装着する手段として巻き付けるベルトを用いた場合、身体の胴部前面における傘保持具取り付け位置の選択が難しい。
本発明は、傘装着具への傘の着脱操作が容易であり、傘の傘装着具への装着状態も安定し、身体の胴部前面における傘装着具の着脱も容易であり、かつ身体の胴部前面における傘装着具の取り付け位置の選択も比較的自由に選べる傘装着具の提供を目的とする。
【課題を解決するための手段】
【０００５】
上記目的を達成するために、請求項１に記載の発明は、傘を身体の胴部に着衣を介して装着する傘装着具であって、傘の柄の下端部分を挟持固定する柄保持具と、前記柄保持具を表面に備えたマジックシートと、を有し、前記マジックシートは、前記着衣に設けられた着衣側マジックシートに貼着することにより傘を略垂直に位置決めするシートであり、一方、前記柄保持具は、装着される傘の柄に沿う傘の柄受け部を有し、裏面が前記マジックシートに固着された基板と、前記基板に支持され、前記傘の柄受け部に対し開閉自在の傘の柄押圧部材と、前記傘の柄押圧部材の操作レバーであって、傘の柄受け部に対し直交する方向の基軸により前記基板に基端部が枢着された操作レバーと、前記傘の柄押圧部材と前記操作レバーとの間に設けられ、一端が前記傘の柄押圧部材に、他端が前記操作レバーにそれぞれ係合したコイルばねであって、前記傘の柄押圧部材を閉じる向きに前記操作レバーを揺動させることにより、該傘の柄押圧部材を弾性的に押圧するコイルばねと、前記傘の柄押圧部材を閉じた状態の前記操作レバーを前記基板に係止固定する係止手段と、を有し、傘を略垂直に位置決めする向きに前記マジックシートを前記着衣側マジックシートに貼着した状態において、前記柄保持具は、前記係止手段が前記基軸の上方に位置する向きに前記マジックシートに固着され、前記押圧部材操作レバーの前記基板に対する前記係止固定が解除されている状態では、前記操作レバーは前記傘の柄押圧部材が開いた状態になるように前記基軸を中心にその自重で垂れ下がることを特徴とする。
【０００６】
請求項２に記載の発明は、請求項１に記載の傘装着具において、傘を略垂直に位置決めする向きに前記マジックシートを前記着衣側マジックシートに貼着した状態で、該マジックシートは、その下端部に傘の柄の手元（グリップ）を挟持固定する第一の柄保持具を、その上端部に前記手元の上部を挟持固定する第二の柄保持具とを備えていることを特徴とする。
請求項３に記載の発明は、請求項１または２に記載の傘装着具において、前記柄保持具を表面に備えた前記マジックシートはフック状を、前記着衣側マジックシートはパイル状をそれぞれ有することを特徴とする。
請求項４に記載の発明は、請求項２に記載の傘装着具において、第一及び第二の柄保持具を表面両端部に備えたマジックシートは、第一の柄保持具と第二の柄保持具との間で折り畳み自在であることを特徴とする傘装着具。
請求項５に記載の発明は、請求項１乃至４の何れか一つに記載の傘装着具において、前記着衣はチョッキであって、その胴部の寸法が調整自在であることを特徴とする傘装着具。
【発明の効果】
【０００７】
本発明によれば、傘を身体に装着するときには、傘装着具の傘の柄保持部が開放状態となっているので、傘を装着するときの傘の柄保持部の開き操作が不要であり、身体に対する傘の装着がごく簡単である効果を奏する。
【図面の簡単な説明】
【０００８】
【図１】本発明の傘装着具を示す正面図である。
【図２】操作レバーが自重で垂れ下がり、傘の柄押圧部材が傘の柄受け部に対して開いた状態を示す柄保持具の斜視図である。
【図３】柄保持具の基板を示す斜視図である。
【図４】図１のＡ−Ａ断面図である。
【図５】傘の柄押圧部材とコイルばねを示す斜視図である。
【図６】傘の柄を保持した一対の柄保持具を備えた傘装着具を着衣に装着した状態を示す正面図である。
【図７】胴部周囲長の調節マジックシートを有するチョッキの背面図である。
【図８】傘装着具を備えたマジックシートの背面図である。
【図９】傘の柄押圧部材の変形例を示す斜視図である。
【発明を実施するための形態】
【０００９】
以下、本発明の実施形態を説明する。
図６において、傘の柄１をその下部における上下二箇所で挟持固定する柄保持具２はマジックシート３に設けられ、このマジックシート３は着衣であるチョッキ４の胴部前面に設けられたマジックシート４aに装着される。下方の柄保持具２は手元（ハンドル）を挟持する。着衣としては、チョッキの他にコート、ジャケット等がある。
柄保持具の上下方向のサイズを変えることにより、例えば長くすることによって、一個の柄保持具で目的を達成することも可能である。
本発明において、マジックシートとは幅広いマジックテープ（登録商標）を意味する。マジックシート３はフック状を、マジックシート４aはパイル状をそれぞれ備える。
以下説明する柄保持具２と略同じ構成は、書類などを綴じて保存するファイルの書類挟持具として知られている。
【００１０】
図１、２において、柄保持具２は、裏面がマジックシート３に固着された基板５と、この基板５に設けられた、浅いＶ溝を形成した傘の柄受け部６と、基板５に一側縁が揺動自在に支持され、傘の柄受け部６に対し開閉自在の傘の柄押圧部材７と、傘の柄受け部６に対し直交する方向の軸８により基板５に基端部９aが枢着された、傘の柄押圧部材７の操作レバー９と、傘の柄押圧部材７と操作レバー９の基端部９aとの間に設けられ、一端１０aが傘の柄押圧部材７に、他端１０ｂが操作レバー９にそれぞれ当接したコイルばね１０と、傘の柄押圧部材７を閉じた状態の操作レバー９を基板５に係止固定するための係止爪１１と、を備えている。
【００１１】
傘の柄を略垂直に位置決めする向きにマジックシート３を着衣側マジックシートに貼着した状態において、柄保持具２は、係止爪１１が軸８の上方に位置する向きにマジックシート３に固着され、操作レバー９の基板５に対する係止固定が解除されている状態では、図２に示すように、操作レバー９は、傘の柄押圧部材７が開いた状態になるように軸８を中心にその自重で垂れ下がる。
コイルばね１０は、操作レバー９をその垂れ下った状態から、傘の柄押圧部材７を閉じる向きに回動させることにより、その一端１０aで傘の柄押圧部材７を弾性的に押圧する。
【００１２】
基板５には、傘の柄押圧部材７の一側縁上下に形成された軸としての突部７a、７bを支持する軸受５a、５bと、軸８（図１、２）の内端を支持する軸受５c（図３）が基板５の切り起こしで形成されている。
基板５は、その一側縁が折り曲げられて側壁１２を形成しており、この側壁１２には、軸８の外端を支持する孔１２aと前記係止爪１１が形成されている。この係止爪１１は、操作レバー９に設けられた係止穴１３とにより、操作レバー９の基板５に対する係止手段を構成する。
図４は、操作レバー９が係止手段により基板５に係止固定された状態を示す。
【００１３】
図５において、傘の柄押圧部材７と操作レバー９との間で軸８に支持されたコイルばね１０は、その一端１０aが傘の柄押圧部材９のばね受け部７cに当接し、他端１０bが操作レバー９の折り曲げ爪９aで支持されている。
コイルばね１０は、傘の柄押圧部材７を閉じる矢印Ｂの向きに操作レバー９を揺動させることにより、その一端１０aが矢印Ｃの向きに回動して傘の柄押圧部材７を閉じる向きに弾性的に押圧する。傘の柄押圧部材７の内面上下端部には、硬質ゴムからなる柄押さえ片１４がそれぞれ設けられている。
【００１４】
図２において、傘の柄受け部６に傘の柄の手元（グリップ）を添えた状態で、自重によって垂れ下がっている操作レバー９を矢印Ｂの向きに押し回すことにより、コイルばね１０を介して傘の柄押圧部材７を回動させて、柄押え片１４により傘の柄を傘の柄受け部６に押圧固定する。
傘の柄を柄保持具２に挟持固定する操作を終えた操作レバー９は、図４に示すように、その係止穴１３を基板５の係止爪１１に係合させることにより、傘装着具への傘の装着を終了する。
【００１５】
図６において既に述べたように、傘の柄１を上下二箇所で挟持固定する傘装着具２を二箇所に設けたマジックシート３は、チョッキ４のマジックシート４ａに対し、その好みの適当な位置に貼着することができる。また、マジックシート３は、これをチョッキ４から取り剥がした状態で、上方の柄保持具２を傘の中棒（シャフト）から取り外して、図８に示す上下柄保持具間の折り畳み線部１５において、その裏面側に折り畳み自在である。
マジックシート３はフック状を備えているので、図８に示すように、上端部３ａにパイル状を帯状に設けることにより、マジックシート３を折り畳み線部１５で折り畳んだ状態で、その上端部３ａに下端部３ｂが貼着するので、傘と共に傘装着具の携帯が容易になる。
【００１６】
チョッキ４の背面には、図７に示すように、チョッキ４を着衣したときの胴部の緩みを無くするために、それぞれの基部１７a、１８aをチョッキ４に固着したマジックテープ（登録商標）１７、１８が設けられており、マジックテープ（登録商標）１７、１８の各先端部の重なり寸法の大小により胴部の余分な緩みをなくして適当な締り具合を調整する。
この胴部周囲の寸法の調整用マジックテープ（登録商標）は、チョッキの内側面に設けてもよく、また、胴部周囲長の調整用の用具としては、マジックテープ（登録商標）の代わりにベルトや、適当な紐などを用いることができる。
【００１７】
以上説明をした実施形態のおける傘の柄押圧部材７は、傘の柄受け部６に対して開閉自在の揺動板で構成されている。
図９は、揺動板ではなく平行移動板からなる傘の柄押圧部材の変形例を示す。
同図において、柄押え片２４を有する傘の柄押圧部材２７は、その両側縁に折曲げ部２７ａを有し、この折曲げ部２７ａにコイルばね２０の一端部２０ａと、屈曲針金軸２１の一端部２１ａがそれぞれ差し通されている。そして、コイルばね２０を支持する軸２８と、屈曲針金軸２１の他端部２１ｂが傘装着具の基板に支持されることにより、傘の柄押圧部材２７は基板に対し平行移動自在に支持される。
コイルばね２０の柄押圧部材２７への取り付け位置は、屈曲針金軸２１を柄押圧部材２７の上下端部の二箇所に設ける形態の場合は、柄押圧部材２７の中央部分とする。
【符号の説明】
【００１８】
１  傘の柄
２  柄保持具
３  マジックシート
４  チョッキ
５  基板
６  傘の柄受け部
７、２７  傘の柄押圧部材
８、２８  軸
９  操作レバー
１０、２０  コイルばね
１１  係止爪
１３  係止穴
１４  柄押え片
【図１】
2014064766.tif 000003
【図２】
2014064766.tif 000004
【図３】
2014064766.tif 000005
【図４】
2014064766.tif 000006
【図５】
2014064766.tif 000007
【図６】
2014064766.tif 000008
【図７】
2014064766.tif 000009
【図８】
2014064766.tif 000010
【図９】
2014064766.tif 000011
【手続補正書】
【提出日】平成24年11月29日(2012.11.29)
【手続補正１】
【補正対象書類名】明細書
【補正対象項目名】全文
【補正方法】変更
【補正の内容】
【発明の詳細な説明】
【技術分野】
【０００１】
本発明は、身体の胴部に傘を装着する傘装着具に関する。
【背景技術】
【０００２】
降雨時や日照時などに傘を身体に装着することにより両手を使用できるようにした傘装着具は、傘の柄を取り付ける手段としてベルトやマジックテープ（登録商標）を利用したものが知られている。また、傘装着具を身体に装着する手段としては、傘装着具を取り付けた、身体に巻き付けるベルト等が用いられている。
【先行技術文献】
【特許文献】
【０００３】
【特許文献１】特開２００４−２２９７８５号公報
【特許文献２】特開２００４−１６７９３号公報
【特許文献３】特開２００２−１４２８２３号公報
【発明の概要】
【発明が解決しようとする課題】
【０００４】
ベルト又はマジックテープ（登録商標）を利用した傘の取り付け固定手段を用いた傘装着具では、傘装着具に傘を安定的に強固に装着することの困難性を伴う。さらに、傘保持具を身体に装着する手段として巻き付けるベルトを用いた場合、身体の胴部前面における傘保持具取り付け位置の選択が難しい。
本発明は、傘装着具への傘の着脱操作が容易であり、傘の傘装着具への装着状態も安定し、身体の胴部前面における傘装着具の着脱も容易であり、かつ身体の胴部前面における傘装着具の取り付け位置の選択も比較的自由に選べる傘装着具の提供を目的とする。
【課題を解決するための手段】
【０００５】
上記目的を達成するために、請求項１に記載の発明は、傘を身体の胴部に着衣を介して装着する傘装着具であって、傘の柄の下端部分を挟持固定する柄保持具と、前記柄保持具を表面に備えた面ファスナーと、を有し、前記面ファスナーは、前記着衣に設けられた着衣側面ファスナーに貼着することにより傘を略垂直に位置決めするシートであり、一方、前記柄保持具は、装着される傘の柄に沿う傘の柄受け部を有し、裏面が前記面ファスナーに固着された基板と、前記基板に支持され、前記傘の柄受け部に対し開閉自在の傘の柄押圧部材と、前記傘の柄押圧部材の操作レバーであって、傘の柄受け部に対し直交する方向の基軸により前記基板に基端部が枢着された操作レバーと、前記傘の柄押圧部材と前記操作レバーとの間に設けられ、一端が前記傘の柄押圧部材に、他端が前記操作レバーにそれぞれ係合したコイルばねであって、前記傘の柄押圧部材を閉じる向きに前記操作レバーを揺動させることにより、該傘の柄押圧部材を弾性的に押圧するコイルばねと、前記傘の柄押圧部材を閉じた状態の前記操作レバーを前記基板に係止固定する係止手段と、を有し、傘を略垂直に位置決めする向きに前記面ファスナーを前記着衣側面ファスナーに貼着した状態において、前記柄保持具は、前記係止手段が前記基軸の上方に位置する向きに前記面ファスナーに固着され、前記押圧部材操作レバーの前記基板に対する前記係止固定が解除されている状態では、前記操作レバーは前記傘の柄押圧部材が開いた状態になるように前記基軸を中心にその自重で垂れ下がることを特徴とする。
【０００６】
請求項２に記載の発明は、請求項１に記載の傘装着具において、傘を略垂直に位置決めする向きに前記面ファスナーを前記着衣側面ファスナーに貼着した状態で、該面ファスナーは、その下端部に傘の柄の手元（グリップ）を挟持固定する第一の柄保持具を、その上端部に前記手元の上部を挟持固定する第二の柄保持具とを備えていることを特徴とする。
請求項３に記載の発明は、請求項１または２に記載の傘装着具において、前記柄保持具を表面に備えた前記面ファスナーはフック状を、前記着衣側面ファスナーはパイル状をそれぞれ有することを特徴とする。
請求項４に記載の発明は、請求項２に記載の傘装着具において、第一及び第二の柄保持具を表面両端部に備えた面ファスナーは、第一の柄保持具と第二の柄保持具との間で折り畳み自在であることを特徴とする傘装着具。
請求項５に記載の発明は、請求項１乃至４の何れか一つに記載の傘装着具において、前記着衣はチョッキであって、その胴部の寸法が調整自在であることを特徴とする傘装着具。
【発明の効果】
【０００７】
本発明によれば、傘を身体に装着するときには、傘装着具の傘の柄保持部が開放状態となっているので、傘を装着するときの傘の柄保持部の開き操作が不要であり、身体に対する傘の装着がごく簡単である効果を奏する。
【図面の簡単な説明】
【０００８】
【図１】本発明の傘装着具を示す正面図である。
【図２】操作レバーが自重で垂れ下がり、傘の柄押圧部材が傘の柄受け部に対して開いた状態を示す柄保持具の斜視図である。
【図３】柄保持具の基板を示す斜視図である。
【図４】図１のＡ−Ａ断面図である。
【図５】傘の柄押圧部材とコイルばねを示す斜視図である。
【図６】傘の柄を保持した一対の柄保持具を備えた傘装着具を着衣に装着した状態を示す正面図である。
【図７】胴部周囲長の調節面ファスナーを有するチョッキの背面図である。
【図８】傘装着具を備えた面ファスナーの背面図である。
【図９】傘の柄押圧部材の変形例を示す斜視図である。
【発明を実施するための形態】
【０００９】
以下、本発明の実施形態を説明する。
図６において、傘の柄１をその下部における上下二箇所で挟持固定する柄保持具２は面ファスナー３に設けられ、この面ファスナー３は着衣であるチョッキ４の胴部前面に設けられた面ファスナー４aに装着される。下方の柄保持具２は手元（ハンドル）を挟持する。着衣としては、チョッキの他にコート、ジャケット等がある。
柄保持具の上下方向のサイズを変えることにより、例えば長くすることによって、一個の柄保持具で目的を達成することも可能である。
本発明において、面ファスナーとは幅広いマジックテープ（登録商標）を意味する。面ファスナー３はフック状を、面ファスナー４aはパイル状をそれぞれ備える。
以下説明する柄保持具２と略同じ構成は、書類などを綴じて保存するファイルの書類挟持具として知られている。
【００１０】
図１、２において、柄保持具２は、裏面が面ファスナー３に固着された基板５と、この基板５に設けられた、浅いＶ溝を形成した傘の柄受け部６と、基板５に一側縁が揺動自在に支持され、傘の柄受け部６に対し開閉自在の傘の柄押圧部材７と、傘の柄受け部６に対し直交する方向の軸８により基板５に基端部９aが枢着された、傘の柄押圧部材７の操作レバー９と、傘の柄押圧部材７と操作レバー９の基端部９aとの間に設けられ、一端１０aが傘の柄押圧部材７に、他端１０ｂが操作レバー９にそれぞれ当接したコイルばね１０と、傘の柄押圧部材７を閉じた状態の操作レバー９を基板５に係止固定するための係止爪１１と、を備えている。
【００１１】
傘の柄を略垂直に位置決めする向きに面ファスナー３を着衣側面ファスナーに貼着した状態において、柄保持具２は、係止爪１１が軸８の上方に位置する向きに面ファスナー３に固着され、操作レバー９の基板５に対する係止固定が解除されている状態では、図２に示すように、操作レバー９は、傘の柄押圧部材７が開いた状態になるように軸８を中心にその自重で垂れ下がる。
コイルばね１０は、操作レバー９をその垂れ下った状態から、傘の柄押圧部材７を閉じる向きに回動させることにより、その一端１０aで傘の柄押圧部材７を弾性的に押圧する。
【００１２】
基板５には、傘の柄押圧部材７の一側縁上下に形成された軸としての突部７a、７bを支持する軸受５a、５bと、軸８（図１、２）の内端を支持する軸受５c（図３）が基板５の切り起こしで形成されている。
基板５は、その一側縁が折り曲げられて側壁１２を形成しており、この側壁１２には、軸８の外端を支持する孔１２aと前記係止爪１１が形成されている。この係止爪１１は、操作レバー９に設けられた係止穴１３とにより、操作レバー９の基板５に対する係止手段を構成する。
図４は、操作レバー９が係止手段により基板５に係止固定された状態を示す。
【００１３】
図５において、傘の柄押圧部材７と操作レバー９との間で軸８に支持されたコイルばね１０は、その一端１０aが傘の柄押圧部材９のばね受け部７cに当接し、他端１０bが操作レバー９の折り曲げ爪９aで支持されている。
コイルばね１０は、傘の柄押圧部材７を閉じる矢印Ｂの向きに操作レバー９を揺動させることにより、その一端１０aが矢印Ｃの向きに回動して傘の柄押圧部材７を閉じる向きに弾性的に押圧する。傘の柄押圧部材７の内面上下端部には、硬質ゴムからなる柄押さえ片１４がそれぞれ設けられている。
【００１４】
図２において、傘の柄受け部６に傘の柄の手元（グリップ）を添えた状態で、自重によって垂れ下がっている操作レバー９を矢印Ｂの向きに押し回すことにより、コイルばね１０を介して傘の柄押圧部材７を回動させて、柄押え片１４により傘の柄を傘の柄受け部６に押圧固定する。
傘の柄を柄保持具２に挟持固定する操作を終えた操作レバー９は、図４に示すように、その係止穴１３を基板５の係止爪１１に係合させることにより、傘装着具への傘の装着を終了する。
【００１５】
図６において既に述べたように、傘の柄１を上下二箇所で挟持固定する傘装着具２を二箇所に設けた面ファスナー３は、チョッキ４の面ファスナー４ａに対し、その好みの適当な位置に貼着することができる。また、面ファスナー３は、これをチョッキ４から取り剥がした状態で、上方の柄保持具２を傘の中棒（シャフト）から取り外して、図８に示す上下柄保持具間の折り畳み線部１５において、その裏面側に折り畳み自在である。
面ファスナー３はフック状を備えているので、図８に示すように、上端部３ａにパイル状を帯状に設けることにより、面ファスナー３を折り畳み線部１５で折り畳んだ状態で、その上端部３ａに下端部３ｂが貼着するので、傘と共に傘装着具の携帯が容易になる。
【００１６】
チョッキ４の背面には、図７に示すように、チョッキ４を着衣したときの胴部の緩みを無くするために、それぞれの基部１７a、１８aをチョッキ４に固着したマジックテープ（登録商標）１７、１８が設けられており、マジックテープ（登録商標）１７、１８の各先端部の重なり寸法の大小により胴部の余分な緩みをなくして適当な締り具合を調整する。
この胴部周囲の寸法の調整用マジックテープ（登録商標）は、チョッキの内側面に設けてもよく、また、胴部周囲長の調整用の用具としては、マジックテープ（登録商標）の代わりにベルトや、適当な紐などを用いることができる。
【００１７】
以上説明をした実施形態のおける傘の柄押圧部材７は、傘の柄受け部６に対して開閉自在の揺動板で構成されている。
図９は、揺動板ではなく平行移動板からなる傘の柄押圧部材の変形例を示す。
同図において、柄押え片２４を有する傘の柄押圧部材２７は、その両側縁に折曲げ部２７ａを有し、この折曲げ部２７ａにコイルばね２０の一端部２０ａと、屈曲針金軸２１の一端部２１ａがそれぞれ差し通されている。そして、コイルばね２０を支持する軸２８と、屈曲針金軸２１の他端部２１ｂが傘装着具の基板に支持されることにより、傘の柄押圧部材２７は基板に対し平行移動自在に支持される。
コイルばね２０の柄押圧部材２７への取り付け位置は、屈曲針金軸２１を柄押圧部材２７の上下端部の二箇所に設ける形態の場合は、柄押圧部材２７の中央部分とする。
【符号の説明】
【００１８】
１  傘の柄
２  柄保持具
３  面ファスナー
４  チョッキ
５  基板
６  傘の柄受け部
７、２７  傘の柄押圧部材
８、２８  軸
９  操作レバー
１０、２０  コイルばね
１１  係止爪
１３  係止穴
１４  柄押え片
【手続補正２】
【補正対象書類名】特許請求の範囲
【補正対象項目名】全文
【補正方法】変更
【補正の内容】
【特許請求の範囲】
【請求項１】
傘を身体の胴部に着衣を介して装着する傘装着具であって、
傘の柄の下端部分を挟持固定する柄保持具と、
前記柄保持具を表面に備えた面ファスナーと、を有し、
前記面ファスナーは、前記着衣に設けられた着衣側面ファスナーに貼着することにより傘を略垂直に位置決めするシートであり、
一方、前記柄保持具は、装着される傘の柄に沿う傘の柄受け部を有し、裏面が前記面ファスナーに固着された基板と、
前記基板に支持され、前記傘の柄受け部に対し開閉自在の傘の柄押圧部材と、
前記傘の柄押圧部材の操作レバーであって、傘の柄受け部に対し直交する方向の基軸により前記基板に基端部が枢着された操作レバーと、
前記傘の柄押圧部材と前記操作レバーとの間に設けられ、一端が前記傘の柄押圧部材に、他端が前記操作レバーにそれぞれ係合したコイルばねであって、前記傘の柄押圧部材を閉じる向きに前記操作レバーを揺動させることにより、該傘の柄押圧部材を弾性的に押圧するコイルばねと、
前記傘の柄押圧部材を閉じた状態の前記操作レバーを前記基板に係止固定する係止手段と、を有し、
傘を略垂直に位置決めする向きに前記面ファスナーを前記着衣側面ファスナーに貼着した状態において、前記柄保持具は、前記係止手段が前記基軸の上方に位置する向きに前記面ファスナーに固着され、前記押圧部材操作レバーの前記基板に対する前記係止固定が解除されている状態では、前記操作レバーは前記傘の柄押圧部材が開いた状態になるように前記基軸を中心にその自重で垂れ下がることを特徴とする傘装着具。
【請求項２】
請求項１に記載の傘装着具において、
傘を略垂直に位置決めする向きに前記面ファスナーを前記着衣側面ファスナーに貼着した状態で、該面ファスナーは、その下端部に傘の柄の手元（グリップ）を挟持固定する第一の柄保持具を、その上端部に前記手元の上部を挟持固定する第二の柄保持具とを備えていることを特徴とする傘装着具。
【請求項３】
請求項１または２に記載の傘装着具において、
前記柄保持具を表面に備えた前記面ファスナーはフック状を、前記着衣側面ファスナーはパイル状をそれぞれ有することを特徴とする傘装着具。
【請求項４】
請求項２に記載の傘装着具において、
第一及び第二の柄保持具を表面両端部に備えた面ファスナーは、第一の柄保持具と第二の柄保持具との間で折り畳み自在であることを特徴とする傘装着具。
【請求項５】
請求項１乃至４の何れか一つに記載の傘装着具において、
前記着衣はチョッキであって、その胴部の寸法が調整自在であることを特徴とする傘装着具。
【手続補正書】
【提出日】平成25年1月30日(2013.1.30)
【手続補正１】
【補正対象書類名】明細書
【補正対象項目名】０００５
【補正方法】変更
【補正の内容】
【０００５】  上記目的を達成するために、請求項１に記載の発明は、傘を身体の胴部に着衣を介して装着する傘装着具であって、傘の柄の下端部分を挟持固定する柄保持具と、前記柄保持具を表面に備えた面ファスナーと、を有し、前記面ファスナーは、前記着衣に設けられた着衣側面ファスナーに貼着することにより傘を略垂直に位置決めするシートであり、一方、前記柄保持具は、装着される傘の柄に沿う傘の柄受け部を有し、裏面が前記面ファスナーに固着された基板と、前記基板に支持され、前記傘の柄受け部に対し開閉自在の傘の柄押圧部材と、前記傘の柄押圧部材の操作レバーであって、傘の柄受け部に対し直交する方向の基軸により前記基板に基端部が枢着された操作レバーと、前記傘の柄押圧部材と前記操作レバーとの間に設けられ、一端が前記傘の柄押圧部材に、他端が前記操作レバーにそれぞれ係合したコイルばねであって、前記傘の柄押圧部材を閉じる向きに前記操作レバーを揺動させることにより、該傘の柄押圧部材を弾性的に押圧するコイルばねと、前記傘の柄押圧部材を閉じた状態の前記操作レバーを前記基板に係止固定する係止手段と、を有し、傘を略垂直に位置決めする向きに前記面ファスナーを前記着衣側面ファスナーに貼着した状態において、前記柄保持具は、前記係止手段が前記基軸の上方に位置する向きに前記面ファスナーに固着され、前記操作レバーの前記基板に対する前記係止固定が解除されている状態では、前記操作レバーは前記傘の柄押圧部材が開いた状態になるように前記基軸を中心にその自重で垂れ下がることを特徴とする。
【手続補正２】
【補正対象書類名】特許請求の範囲
【補正対象項目名】全文
【補正方法】変更
【補正の内容】
【特許請求の範囲】
【請求項１】
傘を身体の胴部に着衣を介して装着する傘装着具であって、  傘の柄の下端部分を挟持固定する柄保持具と、  前記柄保持具を表面に備えた面ファスナーと、を有し、  前記面ファスナーは、前記着衣に設けられた着衣側面ファスナーに貼着することにより傘を略垂直に位置決めするシートであり、  一方、前記柄保持具は、装着される傘の柄に沿う傘の柄受け部を有し、裏面が前記面ファスナーに固着された基板と、  前記基板に支持され、前記傘の柄受け部に対し開閉自在の傘の柄押圧部材と、  前記傘の柄押圧部材の操作レバーであって、傘の柄受け部に対し直交する方向の基軸により前記基板に基端部が枢着された操作レバーと、  前記傘の柄押圧部材と前記操作レバーとの間に設けられ、一端が前記傘の柄押圧部材に、他端が前記操作レバーにそれぞれ係合したコイルばねであって、前記傘の柄押圧部材を閉じる向きに前記操作レバーを揺動させることにより、該傘の柄押圧部材を弾性的に押圧するコイルばねと、  前記傘の柄押圧部材を閉じた状態の前記操作レバーを前記基板に係止固定する係止手段と、を有し、  傘を略垂直に位置決めする向きに前記面ファスナーを前記着衣側面ファスナーに貼着した状態において、前記柄保持具は、前記係止手段が前記基軸の上方に位置する向きに前記面ファスナーに固着され、前記操作レバーの前記基板に対する前記係止固定が解除されている状態では、前記操作レバーは前記傘の柄押圧部材が開いた状態になるように前記基軸を中心にその自重で垂れ下がることを特徴とする傘装着具。
【請求項２】
請求項１に記載の傘装着具において、  傘を略垂直に位置決めする向きに前記面ファスナーを前記着衣側面ファスナーに貼着した状態で、該面ファスナーは、その下端部に傘の柄の手元（グリップ）を挟持固定する第一の柄保持具を、その上端部に前記手元の上部を挟持固定する第二の柄保持具とを備えていることを特徴とする傘装着具。
【請求項３】
請求項１または２に記載の傘装着具において、  前記柄保持具を表面に備えた前記面ファスナーはフック状を、前記着衣側面ファスナーはパイル状をそれぞれ有することを特徴とする傘装着具。
【請求項４】
請求項２に記載の傘装着具において、  第一及び第二の柄保持具を表面両端部に備えた面ファスナーは、第一の柄保持具と第二の柄保持具との間で折り畳み自在であることを特徴とする傘装着具。
【請求項５】
請求項１乃至４の何れか一つに記載の傘装着具において、  前記着衣はチョッキであって、その胴部の寸法が調整自在であることを特徴とする傘装着具。
【手続補正書】
【提出日】平成25年1月31日(2013.1.31)
【手続補正１】
【補正対象書類名】明細書
【補正対象項目名】０００５
【補正方法】変更
【補正の内容】
【０００５】
上記目的を達成するために、請求項１に記載の発明は、傘を身体の胴部に着衣を介して装着する傘装着具であって、傘の柄の下端部分を挟持固定する柄保持具と、前記柄保持具を表面に備えた面ファスナーと、を有し、前記面ファスナーは、前記着衣に設けられた着衣側面ファスナーに貼着することにより傘を略垂直に位置決めするシートであり、一方、前記柄保持具は、装着される傘の柄に沿う傘の柄受け部を有し、裏面が前記面ファスナーに固着された基板と、前記基板に支持され、前記傘の柄受け部に対し開閉自在の傘の柄押圧部材と、前記傘の柄押圧部材の操作レバーであって、傘の柄受け部に対し直交する方向の基軸により前記基板に基端部が枢着された操作レバーと、前記傘の柄押圧部材と前記操作レバーとの間に設けられ、一端が前記傘の柄押圧部材に、他端が前記操作レバーにそれぞれ係合したコイルばねであって、前記傘の柄押圧部材を閉じる向きに前記操作レバーを揺動させることにより、該傘の柄押圧部材を弾性的に押圧するコイルばねと、前記傘の柄押圧部材を閉じた状態の前記操作レバーを前記基板に係止固定する係止手段と、を有し、傘を略垂直に位置決めする向きに前記面ファスナーを前記着衣側面ファスナーに貼着した状態において、前記柄保持具は、前記係止手段が前記基軸の上方に位置する向きに前記面ファスナーに固着され、前記操作レバーの前記基板に対する前記係止固定が解除されている状態では、前記操作レバーは前記傘の柄押圧部材が開いた状態になるように前記基軸を中心にその自重で垂れ下がることを特徴とする。
【手続補正２】
【補正対象書類名】特許請求の範囲
【補正対象項目名】全文
【補正方法】変更
【補正の内容】
【特許請求の範囲】
【請求項１】
傘を身体の胴部に着衣を介して装着する傘装着具であって、
傘の柄の下端部分を挟持固定する柄保持具と、
前記柄保持具を表面に備えた面ファスナーと、を有し、
前記面ファスナーは、前記着衣に設けられた着衣側面ファスナーに貼着することにより傘を略垂直に位置決めするシートであり、
一方、前記柄保持具は、装着される傘の柄に沿う傘の柄受け部を有し、裏面が前記面ファスナーに固着された基板と、
前記基板に支持され、前記傘の柄受け部に対し開閉自在の傘の柄押圧部材と、
前記傘の柄押圧部材の操作レバーであって、傘の柄受け部に対し直交する方向の基軸により前記基板に基端部が枢着された操作レバーと、
前記傘の柄押圧部材と前記操作レバーとの間に設けられ、一端が前記傘の柄押圧部材に、他端が前記操作レバーにそれぞれ係合したコイルばねであって、前記傘の柄押圧部材を閉じる向きに前記操作レバーを揺動させることにより、該傘の柄押圧部材を弾性的に押圧するコイルばねと、
前記傘の柄押圧部材を閉じた状態の前記操作レバーを前記基板に係止固定する係止手段と、を有し、
傘を略垂直に位置決めする向きに前記面ファスナーを前記着衣側面ファスナーに貼着した状態において、前記柄保持具は、前記係止手段が前記基軸の上方に位置する向きに前記面ファスナーに固着され、前記操作レバーの前記基板に対する前記係止固定が解除されている状態では、前記操作レバーは前記傘の柄押圧部材が開いた状態になるように前記基軸を中心にその自重で垂れ下がることを特徴とする傘装着具。
【請求項２】
請求項１に記載の傘装着具において、
傘を略垂直に位置決めする向きに前記面ファスナーを前記着衣側面ファスナーに貼着した状態で、該面ファスナーは、その下端部に傘の柄の手元（グリップ）を挟持固定する第一の柄保持具を、その上端部に前記手元の上部を挟持固定する第二の柄保持具とを備えていることを特徴とする傘装着具。
【請求項３】
請求項１または２に記載の傘装着具において、
前記柄保持具を表面に備えた前記面ファスナーはフック状を、前記着衣側面ファスナーはパイル状をそれぞれ有することを特徴とする傘装着具。
【請求項４】
請求項２に記載の傘装着具において、
第一及び第二の柄保持具を表面両端部に備えた面ファスナーは、第一の柄保持具と第二の柄保持具との間で折り畳み自在であることを特徴とする傘装着具。
【請求項５】
請求項１乃至４の何れか一つに記載の傘装着具において、
前記着衣はチョッキであって、その胴部の寸法が調整自在であることを特徴とする傘装着具。